(57)【要約】      （修正有）【課題】携帯端末に記憶されている印刷対象情報を画像形成装置へ転送して印刷する際の効率性の向上を図る。【解決手段】画像形成システム１０において、画像形成装置としての複合機２０と、当該複合機２０の無線通信可能範囲２０ａ内にある携帯端末３０との間で、無線ＬＡＮによる無線通信が行われる。そして、ユーザは、携帯端末３０に記憶されている印刷対象情報としての画像データを、複合機２０へ転送して印刷することができる。その際、ユーザは、印刷を希望する画像データを選択するための操作を含め、複合機２０のみを操作すれば足り、携帯端末３０を操作する必要はない。これにより、画像データを印刷する際の操作性の向上が図られ、ひいては効率性の向上が図られる。【選択図】図１
2020071822.tif 000002
【特許請求の範囲】
【請求項１】
携帯端末との間で無線通信が可能な画像形成装置であって、
前記携帯端末に記憶されている印刷対象情報を当該携帯端末から前記無線通信により取り込む第１取込手段、
前記第１取込手段によって取り込まれた前記印刷対象情報を表す第１インデックス情報を表示する第１表示手段、
前記第１表示手段によって表示された前記第１インデックス情報のいずれかを任意に選択する第１ユーザ操作を受け付ける第１受付手段、および
前記第１ユーザ操作によって選択された前記第１インデックス情報に対応する前記印刷対象情報に基づく画像を画像形成媒体に形成する画像形成手段を備える、画像形成装置。
【請求項２】
前記無線通信が可能な状態にある前記携帯端末を表す第２インデックス情報を表示する第２表示手段、および
前記第２表示手段によって表示された前記第２インデックス情報のいずれかを任意に選択する第２ユーザ操作を受け付ける第２受付手段をさらに備え、
前記第１取込手段は、前記第２ユーザ操作によって選択された前記第２インデックス情報に対応する前記携帯端末から前記印刷対象情報を取り込む、請求項１に記載の画像形成装置。
【請求項３】
前記携帯端末に識別情報が付されており、
任意の前記識別情報を入力する第３ユーザ操作を受け付ける第３受付手段、および
前記第３ユーザ操作によって入力された前記識別情報を用いて前記携帯端末との間で前記無線通信を行うための認証を試みる認証手段をさらに備え、
前記第１取込手段は、前記認証が成功した前記携帯端末から前記印刷対象情報を取り込む、請求項１または２に記載の画像形成装置。
【請求項４】
前記第１取込手段による取込対象となる前記印刷対象情報についての条件を任意に設定する第４ユーザ操作を受け付ける第４受付手段をさらに備え、
前記第１取込手段は、前記第４ユーザ操作によって設定された前記条件に応じた前記印刷対象情報を前記携帯端末から取り込む、請求項１から３のいずれかに記載の画像形成装置。
【請求項５】
前記携帯端末に記憶されている前記印刷対象情報を表しかつ当該印刷対象情報よりも容量の小さい第３インデックス情報を当該携帯端末から前記無線通信により取り込む第２取込手段、
前記第２取込手段によって取り込まれた前記第３インデックス情報を表示する第３表示手段、および
前記第３表示手段によって表示された前記第３インデックス情報のいずれかを任意に選択する第５ユーザ操作を受け付ける第５受付手段をさらに備え、
前記第１取込手段は、前記第５ユーザ操作によって選択された前記第３インデックス情報に対応する前記印刷対象情報を前記携帯端末から取り込む、請求項１から３のいずれかに記載の画像形成装置。
【請求項６】
前記印刷対象情報は、画像情報を含む、請求項１から５のいずれかに記載の画像形成装置。
【請求項７】
携帯端末との間で無線通信が可能な画像形成装置の制御方法であって、
前記携帯端末に記憶されている印刷対象情報を当該携帯端末から前記無線通信により取り込む第１取込ステップ、
前記第１取込ステップにおいて取り込まれた前記印刷対象情報を表す第１インデックス情報を表示する第１表示ステップ、
前記第１表示ステップにおいて表示された前記第１インデックス情報のいずれかを任意に選択する第１ユーザ操作を受け付ける第１受付ステップ、および
前記第１ユーザ操作によって選択された前記第１インデックス情報に対応する前記印刷対象情報に基づく画像を画像形成媒体に形成する画像形成ステップを含む、制御方法。
【請求項８】
携帯端末との間で無線通信が可能な画像形成装置の制御プログラムであって、
前記画像形成装置のコンピュータに、
前記携帯端末に記憶されている印刷対象情報を当該携帯端末から前記無線通信により取り込むための第１取込手順、
前記第１取込手順において取り込まれた前記印刷対象情報を表す第１インデックス情報を表示するための第１表示手順、
前記第１表示手順において表示された前記第１インデックス情報のいずれかを任意に選択する第１ユーザ操作を受け付けるための第１受付手順、および
前記第１ユーザ操作によって選択された前記第１インデックス情報に対応する前記印刷対象情報に基づく画像を画像形成媒体に形成するための画像形成手順を実行させる、制御プログラム。
【請求項９】
請求項１から６のいずれかに記載の画像形成装置、および
前記携帯端末を備える、画像形成システム。
【発明の詳細な説明】
【技術分野】
【０００１】
本発明は、画像形成装置、画像形成装置の制御方法および制御プログラム、ならびに画像形成システムに関し、特に、携帯端末との間で無線通信が可能な画像形成装置、画像形成装置の制御方法および制御プログラム、ならびに画像形成システムに関する。
【背景技術】
【０００２】
この種の技術の一例が、特許文献１に開示されている。この特許文献１に開示された技術によれば、携帯電話機などの携帯端末に記憶（保存）されている印刷対象情報としての印刷データが、無線通信により、たとえば無線ＬＡＮ（Local Area Network）により、画像形成装置としてのプリンタ装置へ送信される。プリンタ装置は、携帯端末から受信した印刷データを印刷し、詳しくは当該印刷データに基づく画像を画像形成媒体としての用紙に形成する。なお、特許文献１に開示された技術によれば、無線ＬＡＮによる通信に加えて、課金処理のために、ＦｅｌｉＣａ（登録商標）などの近距離無線通信規格に従う近距離無線通信も行われる。
【先行技術文献】
【特許文献】
【０００３】
【特許文献１】特開２０１３−１４１８０３号公報
【発明の概要】
【発明が解決しようとする課題】
【０００４】
このように特許文献１に開示された技術によれば、携帯端末に記憶されている印刷対象情報を画像形成装置へ転送して印刷することができるが、その際、ユーザは、印刷を希望する印刷対象情報の選択を含め、当該携帯端末を操作する必要がある。またたとえば、携帯端末がポケットやカバンなどに仕舞われている場合には、ユーザは、当該携帯端末を取り出した上で、操作をする必要がある。さらに、ユーザは、携帯端末の操作に加えて、画像形成装置の操作をする必要があり、つまりこれら携帯端末と画像形成装置とのそれぞれを別々に操作する必要がある。このことは、ユーザにとって極めて面倒であり、非効率的である。
【０００５】
そこで、本発明は、携帯端末に記憶されている印刷対象情報を画像形成装置へ転送して印刷する際の効率性の向上を図ることができる新規な画像形成装置、画像形成装置の制御方法および制御プログラム、ならびに画像形成システムを提供することを、目的とする。
【０００６】
そこで、本発明は、携帯端末に記憶されている印刷対象情報の印刷をより効率的に行うことができる新規な画像形成装置、画像形成装置の制御方法および制御プログラム、ならびに画像形成システムを提供することを、目的とする。
【課題を解決するための手段】
【０００７】
この目的を達成するために、本発明は、画像形態装置に係る第１の発明、画像形成装置の制御方法に係る第２の発明、画像形成装置の制御プログラムに係る第３の発明、および画像形成システムに係る第４の発明を含む。
【０００８】
このうちの画像形成装置に係る第１の発明は、携帯端末との間で無線通信が可能な画像形成装置であって、第１取込手段、第１表示手段、第１受付手段および画像形成手段を備える。第１取込手段は、携帯端末に記憶されている印刷対象情報を当該携帯端末から無線通信により取り込む。第１表示手段は、第１取込手段によって取り込まれた印刷対象情報を表す第１インデックス情報を表示する。第１受付手段は、第１表示手段によって表示された第１インデックス情報のいずれかを任意に選択する第１ユーザ操作を受け付ける。そして、画像形成手段は、第１ユーザ操作によって選択された第１インデックス情報に対応する印刷対象情報に基づく画像を画像形成媒体に形成し、つまり印刷する。
【０００９】
なお、本第１の発明においては、第２表示手段および第２受付手段が、さらに備えられてもよい。ここで、第２表示手段は、無線通信が可能な状態にある携帯端末を表す第２インデックス情報を表示する。そして、第２受付手段は、第２表示手段によって表示された第２インデックス情報のいずれかを任意に選択する第２ユーザ操作を受け付ける。この場合、第１取込手段は、第２ユーザ操作によって選択された第２インデックス情報に対応する携帯端末から印刷対象情報を取り込む。
【００１０】
また、本第１の発明においては、携帯端末に、識別情報が付されてもよい。その上で、第３受付手段および認証手段が、さらに備えられてもよい。ここで、第３受付手段は、任意の識別情報を入力する第３ユーザ操作を受け付ける。そして、認証手段は、第３ユーザ操作によって入力された識別情報を用いて、携帯端末との間で無線通信を行うための認証を試みる。この場合、第１取込手段は、認証手段による認証が成功した携帯端末から印刷対象情報を取り込む。
【００１１】
加えて、本第１の発明においては、第４受付手段が、さらに備えられてもよい。この第４受付手段は、第１取込手段による取込対象となる印刷対象情報についての条件を任意に設定する第４ユーザ操作を受け付ける。この場合、第１取込手段は、第４ユーザ操作によって設定された条件に応じた印刷対象情報を携帯端末から取り込む。
【００１２】
さらに、本第１の発明においては、第２取込手段、第３表示手段および第５受付手段が、備えられてもよい。ここで、第２取込手段は、携帯端末に記憶されている印刷対象情報を表し、かつ、当該印刷対象情報よりも容量の小さい、第３インデックス情報を、当該携帯端末から無線通信により取り込む。第３表示手段は、第２取込手段によって取り込まれた第３インデックス情報を表示する。そして、第５受付手段は、第３表示手段によって表示された第３インデックス情報のいずれかを任意に選択する第５ユーザ操作を受け付ける。この場合、第１取込手段は、第５ユーザ操作によって選択された第３インデックス情報に対応する印刷対象情報を携帯端末から取り込む。
【００１３】
このような本第１の発明における印刷対象情報は、たとえば画像情報を含む。
【００１４】
本発明のうちの画像形成装置の制御方法に係る第２の発明は、第１取込ステップ、第１表示ステップ、第１受付ステップおよび画像形成ステップを含む。ここで、画像形成装置は、携帯端末との間で無線通信が可能である。その上で、第１取込ステップにおいては、携帯端末に記憶されている印刷対象情報を当該携帯端末から無線通信により取り込む。第１表示ステップにおいては、第１取込ステップにおいて取り込まれた印刷対象情報を表す第１インデックス情報を表示する。第１受付ステップにおいては、第１表示ステップにおいて表示された第１インデックス情報のいずれかを任意に選択する第１ユーザ操作を受け付ける。そして、画像形成ステップにおいては、第１ユーザ操作によって選択された第１インデックス情報に対応する印刷対象情報に基づく画像を画像形成媒体に形成する。
【００１５】
本発明のうちの画像形成装置の制御プログラムに係る第３の発明は、当該画像形成装置のコンピュータに、第１取込手順、第１表示手順、第１受付手順および画像形成手順を実行させる。ここで、画像形成装置は、携帯端末との間で無線通信が可能である。そして、第１取込手順は、携帯端末に記憶されている印刷対象情報を当該携帯端末から無線通信により取り込むための手順である。第１表示手順は、第１取込手順において取り込まれた印刷対象情報を表す第１インデックス情報を表示するための手順である。第１受付手順は、第１表示手順において表示された第１インデックス情報のいずれかを任意に選択する第１ユーザ操作を受け付けるための手順である。そして、画像形成手順は、第１ユーザ操作によって選択された第１インデックス情報に対応する印刷対象情報に基づく画像を画像形成媒体に形成するための手順である。
【００１６】
本発明のうちの画像形成システムに係る第４の発明は、第１の発明に係る画像形成装置、および、当該第１の発明におけるのと同様の携帯端末を備える。
【発明の効果】
【００１７】
このような本発明によれば、携帯端末に記憶されている印刷対象情報を画像形成装置へ転送して印刷する際に、ユーザは、印刷を希望する印刷対象情報を選択するための第１ユーザ操作を含め、画像形成装置のみを操作すれば足り、携帯端末を操作する必要はない。これにより、当該印刷の際の操作性の向上が図られ、ひいては効率性の向上が図られる。
【図面の簡単な説明】
【００１８】
【図１】図１は、本発明の第１実施例に係る画像形成システムの全体の構成を示す図である。
【図２】図２は、第１実施例における複合機の電気的な構成を示すブロック図である。
【図３】図３は、第１実施例における複合機の主記憶部のＲＡＭ内の構成を概念的に示すメモリマップである。
【図４】図４は、第１実施例における携帯端末の電気的な構成を示すブロック図である。
【図５】図５は、第１実施例における携帯端末の主記憶部のＲＡＭ内の構成を概念的に示すメモリマップである。
【図６】図６は、第１実施例に係る画像形成システムの全体的な処理の流れを示すフロー図である。
【図７】図７は、第１実施例における複合機のディスプレイに表示される端末リスト画面の一例を示す図である。
【図８】図８は、第１実施例における複合機のディスプレイに表示される認証操作画面の一例を示す図である。
【図９】図９は、第１実施例における複合機のディスプレイに表示される印刷操作画面の一例を示す図である。
【図１０】図１０は、第１実施例における印刷操作画面の表示態様が変化した一例を示す図である。
【図１１】図１１は、第１実施例における複合機のＣＰＵが実行する端末接続時制御処理の流れの一部分を示すフロー図である。
【図１２】図１２は、第１実施例における端末接続時制御処理の流れの別の一部分を示すフロー図である。
【図１３】図１３は、第１実施例における端末接続時制御処理の流れの残りの部分を示すフロー図である。
【図１４】図１４は、第１実施例における携帯端末のＣＰＵが実行する複合機接続時制御処理の流れを示すフロー図である。
【図１５】図１５は、第２実施例に係る画像形成システムの全体的な処理の流れの一部分を示すフロー図である。
【図１６】図１６は、本発明の第２実施例における写真取込操作画面の一例を示す図である。
【図１７】図１７は、第２実施例における複合機のＣＰＵが実行する端末接続時制御処理の流れの一部分を示すフロー図である。
【図１８】図１８は、第３実施例に係る画像形成システムの全体的な処理の流れの一部分を示すフロー図である。
【図１９】図１９は、本発明の第３実施例における事前取込操作画面の一例を示す図である。
【図２０】図２０は、第３実施例における複合機のＣＰＵが実行する端末接続時制御処理の流れの一部分を示すフロー図である。
【図２１】図２１は、第３実施例における携帯端末のＣＰＵが実行する複合機接続時制御処理の流れの一部分を示すフロー図である。
【発明を実施するための形態】
【００１９】
［第１実施例］
本発明の第１実施例について、図１に示される画像形成システム１０を例に挙げて説明する。
【００２０】
図１に示されるように、本第１実施例に係る画像形成システム１０は、画像形成装置としての複合機（MultiFunction Peripheral：ＭＦＰ）２０と、携帯端末３０と、を含む。
【００２１】
複合機２０は、マルチコピー機とも呼ばれ、コピー機能、プリンタ機能、イメージスキャナ機能、ファクシミリ機能などの複数の機能を備える。この複合機２０は、不特定多数の者に使用されることを前提として、たとえばコンビニエンスストア内に設置される。また、複合機２０は、無線ＬＡＮの親機（アクセスポイント）としての機能を有しており、その周囲に当該無線ＬＡＮによる無線通信可能範囲２０ａを形成する。なお、図１においては、一定の形状および一定の大きさの無線通信可能範囲２０ａが形成されているように見受けられるが、実際には、当該無線通信可能範囲２０ａの形状および大きさは、複合機２０の設置場所の環境や時間帯などの諸状況によって変わる。
【００２２】
一方、携帯端末３０は、無線ＬＡＮの子機（クライアント）としての機能を有するとともに、画像データなどの各種のデータを記憶する機能を有する、携帯可能な装置である。このような携帯端末３０としては、スマートフォン、タブレット端末、携帯電話機などがあるが、図１では、スマートフォンが例示されている。この携帯端末３０は、これに後述する専用アプリ（アプリケーションソフト）がインストールされることで、複合機２０の無線通信可能範囲２０ａ内に入ったときに、当該複合機２０との間で無線ＬＡＮによる双方向通信が可能となる。なお、携帯端末３０の不図示のユーザは、たとえばコンビニエンスストアの顧客（来店者）である。この携帯端末３０のユーザは、複合機２０を使用することができ、とりわけ当該携帯端末３０に記憶されている画像データを複合機２０へ転送して印刷することができる。
【００２３】
ここで、複合機２０に注目すると、当該複合機２０は、図２に示されるように、画像読取部２０２、画像形成部２０４、通信部２０６および写真用プリンタ２０８を備える。併せて、複合機２０は、制御部２１０、補助記憶部２１２、表示部２１４および操作部２１６を備える。これらは、互いに共通のバス２１８に接続される。
【００２４】
画像読取部２０２は、不図示の原稿の画像を読み取って、当該原稿の画像に応じた２次元の画像データ（読取画像データ）を出力する画像読取処理を担う、画像読取手段の一例である。このため、画像読取部２０２は、不図示の原稿載置台、光源、複数のミラー、結像レンズ、ラインセンサなどを有する。
【００２５】
画像形成部２０４は、画像形成媒体としての不図示の用紙に電子写真方式によって画像を形成する画像形成処理を担う、画像形成手段の一例である。このため、画像形成部２０４は、不図示の感光体ドラム、帯電装置、露光装置、現像装置、転写装置、定着装置などを有する。この画像形成部２０４による画像形成処理に供される画像データ、言わば印刷の対象となる印刷対象情報としては、前述の画像読取部２０２から出力された画像データや、後述する如く携帯端末３０から取り込まれた画像データなどがある。なお、ここで言う用紙としては、Ａ３版、Ｂ４版、Ａ４版、Ｂ５版などのサイズの異なる複数種類の普通紙や、写真を印刷するのに適した光沢紙などがある。また、画像形成部２０４は、電子写真方式に限らず、たとえばインクジェット方式によって、画像形成処理を行うものであってもよい。
【００２６】
通信部２０６は、不図示のネットワークを介しての双方向の通信処理を担う、通信手段の一例である。ここで言うネットワークは、たとえばインターネットであるが、これに限らずＶＰＮ（Virtual Private Network）や専用線などであってもよい。また、通信部２０６は、不図示の公衆電話回線を介しての双方向の通信処理をも担う。さらに、通信部２０６は、無線ＬＡＮ部２０６ａを有する。この無線ＬＡＮ部２０６ａは、たとえば公知のＩＥＥＥ＿８０２．１１規格（いわゆるＷｉ−Ｆｉ（登録商標）規格）に則って、前述の無線ＬＡＮの親機としての機能を実現する。
【００２７】
写真用プリンタ２０８は、たとえば昇華型プリンタまたはインクジェットプリンタであり、前述の画像形成部２０４よりも高品質な写真印刷を行うことができる、別の画像形成手段の一例である。この写真用プリンタ２０８による高品質な写真印刷に供される画像データ、つまり印刷対象情報としては、後述する如く携帯端末３０から取り込まれた画像データや、前述の画像読取部２０２から出力された画像データなどがある。なお、この写真用プリンタ２０８による印刷先となる用紙としては、たとえばＬ判サイズおよび２Ｌ判サイズの２種類の専用紙が用意されている。
【００２８】
制御部２１０は、複合機２０の全体的な制御を司る、制御手段の一例である。このため、制御部２１０は、制御実行手段としてのＣＰＵ（Central Processing Unit）２１０ａを有する。併せて、制御部２１０は、ＣＰＵ２１０ａが直接アクセス可能な主記憶手段としての主記憶部２１０ｂを有する。この主記憶部２１０ｂは、たとえば不図示のＲＯＭ（Read Only Memory）およびＲＡＭ（Random Access Memory）を含む。このうちのＲＯＭには、ＣＰＵ２１０ａの動作を制御するための制御プログラム（ファームウェア）が記憶される。そして、ＲＡＭは、ＣＰＵ２１０ａが制御プログラムに基づく処理を実行する際の作業領域およびバッファ領域を構成する。このＲＡＭ内の概念的な構造を、図３のメモリマップ２００に示す。
【００２９】
このメモリマップ２００に示されるように、主記憶部２１０ｂ内のＲＡＭは、プログラム記憶領域２５０およびデータ記憶領域２７０を有する。このうちのプログラム記憶領域２５０には、前述の制御プログラムが記憶される。この制御プログラムは、表示制御プログラム２５２、操作検出プログラム２５４、画像読取プログラム２５６、画像形成プログラム２５８、通信制御プログラム２６０、写真用プリンタ制御プログラム２６２、端末検出プログラム２６４、端末接続時制御プログラム２６６などを含む。
【００３０】
表示制御プログラム２５２は、表示部２１４の後述するディスプレイ２１４ａの表示面に各種画面を表示させるのに必要な表示画面データを生成するためのプログラムである。操作検出プログラム２５４は、操作部２１６の後述するタッチパネル２１６ａに対するユーザによる操作状態を検出するためのプログラムである。画像読取プログラム２５６は、画像読取部２０２を制御するためのプログラムである。画像形成プログラム２５８は、画像形成部２０４を制御するためのプログラムである。通信制御プログラム２６０は、無線ＬＡＮ部２０６ａを含む通信部２０６を制御するためのプログラムである。写真用プリンタ制御プログラム２６２は、写真用プリンタ２０８を制御するためのプログラムである。端末検出プログラム２６４は、ＣＰＵ２１０ａに後述する端末検出処理を実行させるためのプログラムである。そして、端末接続時制御プログラム２６６は、ＣＰＵ２１０ａに後述する端末接続時制御処理を実行させるためのプログラムである。
【００３１】
一方、データ記憶領域２７０には、各種のデータが記憶される。この各種のデータとしては、表示画像生成データ２７２、操作データ２７４、内部送受信データ２７６、外部送受信データ２７８などがある。
【００３２】
表示画像生成データ２７２は、前述の表示制御プログラム２５２に基づく表示画面データの生成に用いられるポリゴンデータやテクスチャデータなどのデータである。操作データ２７４は、タッチパネル２１８ａに対するユーザによる操作状態を表すデータであり、詳しくは当該タッチパネル２１８ａに対するユーザによるタッチ位置（座標）を表す時系列のデータである。内部送受信データ２７６は、バス２１８を介して制御部２１０と画像読取部２０２などの当該制御部２１０以外の各構成要素との間で送受信されるデータである。そして、外部送受信データ２７８は、通信部２０８を介して外部との間で送受信されるデータである。この外部送受信データ２７８には、後述する如く携帯端末３０から取り込まれる画像データなどの当該携帯端末３０との間で送受信されるデータも含まれる。
【００３３】
図２に戻って、補助記憶部２１２は、不図示のハードディスクやフラッシュメモリなどの不揮発性メモリを含む、補助記憶手段の一例である。この補助記憶部２１２には、ＣＰＵ２１０ａによる制御に従って、各種のデータが記憶される。
【００３４】
表示部２１４は、表示手段としてのディスプレイ２１４ａを有する。このディスプレイ２１４ａは、操作部２１６の後述するタッチパネル２１６ａと協働して、タッチパネル付きディスプレイ（タッチスクリーン）を構成する。このディスプレイ２１４ａは、たとえば液晶ディスプレイ（ＬＣＤ）であるが、これに限らず、有機エレクトロルミネッセンス（ＥＬ）ディスプレイなどであってもよい。また、表示部２１４は、ディスプレイ２１４ａ以外に、不図示の発光ダイオード（ＬＥＤ）などの適宜の発光素子を含む。
【００３５】
操作部２１６は、操作受付手段としてのタッチパネル２１６ａを有する。このタッチパネル２１６ａは、前述の如く表示部２１４のディスプレイ２１４ａと協働して、タッチパネル付きディスプレイを構成する。このため、詳しい図示は省略するが、タッチパネル２１６ａは、ディスプレイ２１４ａの表示面上に重なるように設けられる。このタッチパネル２１６ａは、たとえば静電容量方式のものであるが、これに限らず、電磁誘導方式、抵抗膜方式、赤外線方式などの他の方式のものであってもよい。また、操作部２１６は、タッチパネル２１６ａａ以外に、不図示の押しボタンスイッチなどの適宜のハードウェアスイッチを含む。
【００３６】
このような複合機２０に対して、携帯端末３０は、図４に示されるように、制御部３０２、補助記憶部３０４、通信部３０６、表示部３０８および操作部３１０を備える。これらは、互いに共通のバス３１２に接続される。
【００３７】
制御部３０２は、携帯端末３０の全体的な制御を司る、当該携帯端末３０における制御手段の一例である。このため、制御部３０２は、携帯端末３０における制御実行手段としてのＣＰＵ３０２ａを備える。併せて、制御部３０２は、携帯端末３０における主記憶手段としての主記憶部３０２ａを備える。この主記憶部３０２ａは、たとえば不図示のＲＯＭおよびＲＡＭを含む。ＲＯＭには、ＣＰＵ３０２ａの動作を制御するための制御プログラムが記憶される。そして、ＲＡＭは、ＣＰＵ３０２ａが制御プログラムに基づく処理を実行する際の作業領域およびバッファ領域を構成する。このＲＡＭ内の概念的な構造を、図５のメモリマップ３００に示す。
【００３８】
このメモリマップ３００に示されるように、主記憶部３０２ｂ内のＲＡＭは、プログラム記憶領域３５０およびデータ記憶領域３５０を有する。このうちのプログラム記憶領域３５０には、前述の制御プログラムが記憶される。この制御プログラムは、表示制御プログラム３５２、操作検出プログラム３５４、通信制御プログラム３５６、複合機検出プログラム３５８、複合機接続時制御プログラム３６０などを含む。
【００３９】
表示制御プログラム３５２は、表示部３０８の後述するディスプレイ３０８ａの表示面に各種画面を表示させるのに必要な表示画面データを生成するためのプログラムである。操作検出プログラム３５４は、操作部３１０の後述するタッチパネル３１０ａに対するユーザによる操作状態を検出するためのプログラムである。通信制御プログラム３５６は、通信部３０６を制御するためのプログラムである。複合機検出プログラム３５８は、ＣＰＵ３０２ａに後述する複合機検出処理を実行させるためのプログラムである。そして、複合機接続時制御プログラム３６０は、ＣＰＵ３０２ａに後述する複合機接続時制御処理を実行させるためのプログラムである。なお、複合機検出プログラム３５８および複合機接続時制御プログラム３６０は、後述する専用アプリに組み込まれている。
【００４０】
一方、データ記憶領域３７０には、各種のデータが記憶される。この各種のデータとしては、表示画像生成データ３７２、操作データ３７４、内部送受信データ３７６、外部送受信データ３７８などがある。
【００４１】
表示画像生成データ３７２は、前述の表示制御プログラム３５２に基づく表示画面データの生成に用いられるポリゴンデータやテクスチャデータなどのデータである。操作データ３７４は、タッチパネル３１０ａに対するユーザによる操作状態を表すデータであり、詳しくは当該タッチパネル３１０ａに対するユーザによるタッチ位置を表す時系列のデータである。内部送受信データ３７６は、バス３１２を介して制御部３０２と補助記憶部２０４などの当該制御部３０２以外の各構成要素との間で送受信されるデータである。そして、外部送受信データ３７８は、通信部３０６を介して外部との間で送受信されるデータである。この外部送受信データ３７８には、後述する如く携帯端末３０から複合機２０へ送信される画像データなどの当該複合機２０との間で送受信されるデータが含まれる。
【００４２】
図４に戻って、補助記憶部３０４は、不図示のフラッシュメモリなどの不揮発性メモリを含む、携帯端末３０における補助記憶手段の一例である。この補助記憶部３０４には、ＣＰＵ３０２ａによる制御に従って、各種のデータが記憶される。
【００４３】
通信部３０６は、不図示の携帯電話回線を介しての双方向の通信処理を担う、携帯端末３０における通信手段の一例である。また、通信部３０６は、不図示のパーソナルコンピュータとの間で有線による双方向の通信処理をも担う。さらに、通信部３０６は、無線ＬＡＮ部３０６ａを有する。この無線ＬＡＮ部３０６ａは、前述のＩＥＥＥ＿８０２．１１規格に則って、無線ＬＡＮの子機としての機能を実現する。
【００４４】
表示部３０８は、携帯端末３０における表示手段としてのディスプレイ３０８ａを有する。このディスプレイ３０８ａは、操作部３１０の後述するタッチパネル３１０ａと協働して、タッチパネル付きディスプレイを構成する。このディスプレイ３０８ａは、たとえば液晶ディスプレイであるが、これに限らず、有機エレクトロルミネッセンスディスプレイなどであってもよい。また、表示部３０８は、ディスプレイ３０８ａ以外に、不図示の発光ダイオードなどの適宜の発光素子を含む。
【００４５】
操作部３１０は、携帯端末３０における操作受付手段としてのタッチパネル３１０ａを有する。このタッチパネル３１０ａは、前述の如く表示部３０８のディスプレイ３０８ａと協働して、タッチパネル付きディスプレイを構成する。このため、タッチパネル３１０ａは、ディスプレイ３０８ａの表示面上に重なるように設けられる。このタッチパネル３１０ａは、たとえば静電容量方式のものであるが、これに限らず、電磁誘導方式、抵抗膜方式、赤外線方式などの他の方式のものであってもよい。また、操作部３１０は、タッチパネル３１０ａ以外に、不図示の押しボタンスイッチなどの適宜のハードウェアスイッチを含む。
【００４６】
さて、前述したように、本第１実施例によれば、携帯端末３０のユーザは、当該携帯端末３０に記憶されている画像データを複合機２０へ転送して印刷することができる。その際、ユーザは、携帯端末３０を操作することなく、複合機２０のみを操作することにより、当該印刷をすることができる。
【００４７】
これを実現するために、事前準備として、携帯端末３０に専用アプリがインストールされる。この専用アプリは、たとえば不図示の専用サーバからダウンロードすることができる。この専用アプリが携帯端末３０にインストールされることで、当該携帯端末３０に、複合機２０との間での無線ＬＡＮによる通信に必要な各種のパラメータが設定される。このパラメータとしては、識別子としてのＳＳＩＤ（Service Set IDentifier）、暗号化方式、暗号化キーなどがある。さらに、この専用アプリがインストールされた携帯端末３０において、識別情報としてのＩＤ（IDentifier）と、このＩＤと紐付けられるパスワードと、当該ＩＤの附帯的情報としてのニックネームとが、ユーザ操作により任意に設定（登録）される。併せて、複合機２０へ転送される画像データの記憶場所（保存場所）、詳しくは補助記憶部３０４内における当該記憶場所としてのフォルダが、ユーザ操作により任意に設定される。なお、複合機２０へ転送される画像データは、主に携帯端末３０が備える不図示のカメラによって撮影された写真のデータであり、たとえばＪＰＥＧ（Joint Photographic Experts Group）データである。
【００４８】
このような事前準備が成された上で、画像形成システム１０全体として、図６に示されるような流れで処理（イベント）が進められる。なお、この処理が進められるに際して、前述の専用アプリが起動される必要はない。
【００４９】
まず、ステップＳ１として、携帯端末３０が複合機２０の無線通信可能範囲２０ａ内に入る。これにより、携帯端末３０と複合機２０との間で無線ＬＡＮによる通信が可能となる。なお、複合機２０および携帯端末３０は、互いの存在を検出したときに、当該携帯端末３０が複合機２０の無線通信可能範囲２０ａに入ったことを認識する。そのために、複合機２０のＣＰＵ２１０ａは、前述の端末検出プログラム２６４に従って端末検出処理を実行する。併せて、携帯端末３０のＣＰＵ３０２ａは、前述の複合機検出プログラム３５８に従って複合機検出処理を実行する。
【００５０】
具体的には、図示は省略するが、複合機２０は、公知のビーコンをブロードキャストにより送信する。このビーコンには、前述のＳＳＩＤが含まれる。これに対して、携帯端末３０は、複合機２０からのビーコンを受信すると、このビーコンに含まれるＳＳＩＤと自身に設定されたＳＳＩＤとが互いに一致するかどうかを確認（照合）する。そして、両者の一致が確認されると、携帯端末３０は、複合機２０へプローブ要求を送信する。複合機２０は、この携帯端末３０からのプローブ要求を受信すると、これに対する応答として、当該携帯端末３０へプローブ応答を送信する。これにより、複合機２０および携帯端末３０は、互いの存在を検出して、当該携帯端末３０が複合機２０の無線通信可能範囲２０ａに入ったことを認識する。
【００５１】
次に、ステップＳ３として、複合機２０のディスプレイ２１４ａに、図７に示されるような端末リスト画面４００が表示される。なお、この端末リスト画面４００の表示に先立って、複合機２０は、携帯端末３０対して、当該携帯端末３０の端末情報を送信するよう要求する。その応答として、携帯端末３０は、複合機２０に対して、当該携帯端末３０に付された前述のニックネームを含む端末情報を送信する。複合機２０は、この携帯端末３０からの端末情報を受信した上で、端末リスト画面４００を表示する。
【００５２】
この端末リスト画面４００においては、たとえばその略中央に、端末リスト４０２が表示される。この端末リスト４０２には、無線通信可能範囲２０ａ内に存在する携帯端末３０のニックネームを表す横書きの文字列４０４が表示される。なお、図７は、無線通信可能範囲２０ａ内に複数台の携帯端末３０、３０、…が存在する場合の一例を示す。この場合、各携帯端末３０、３０、…に対応する複数の文字列４０４、４０４、…が、縦一列に表示される。また、図示は省略するが、無線通信可能範囲２０ａ内に存在する携帯端末３０の台数が多いために、それらに対応する全ての文字列４０４、４０４、…が端末リスト４０２内に一遍に表示されない場合は、当該端末リスト４０２内に表示される各文字列４０４、４０４、…を上下方向へスクロールさせことができる。
【００５３】
さらに、端末リスト画面４００においては、たとえば端末リスト４０２の上方に、ユーザに対して自身の携帯端末３０を選択することを促す適当な横書きの文字列４０６が表示される。併せて、端末リスト４０２の下方に、「ＯＫ」という横書きの文字列が付されたボタン４０８と、「キャンセル」という横書きの文字列が付されたボタン４１０とが、横並びで表示される。
【００５４】
このような端末リスト画面４００が表示された状態において、続くステップＳ５として、当該端末リスト画面４００上で、ユーザにより、目的の携帯端末３０、つまりユーザ自身の携帯端末３０、を選択するための選択操作が行われる。具体的には、端末リスト４０２の中からユーザ自身の携帯端末３０を表す文字列４０４が押下（タップ）され、その上で、「ＯＫ」ボタン４０８が押下される。
【００５５】
すると、続くステップＳ７として、複合機２０のディスプレイ２１４ａに、図８に示されるような認証操作画面５００が表示される。この認証操作画面５００においては、たとえばその上部に、ユーザに対して自身の携帯端末３０のＩＤおよびパスワードを入力することを促す適当な横書きの文字列５０２が表示される。なお、図８は、図７に示される端末リスト画面４００上で、つまり前述のステップＳ５における選択操作により、「ＡＡＡＡＡ」というニックネームが付された携帯端末３０が選択された場合の一例を示す。
【００５６】
また、認証操作画面５００においては、文字列５０２の下方に、ＩＤを入力するための横長のフィールド５０４と、パスワードを入力するための横長のフィールド５０６とが、横並びで表示される。さらに、これら各フィールド５０４および５０６の下方に、複数の操作キー５０８、５０８、…を含むキー群５１０が表示される。そして、このキー群５１０の下方に、「ＯＫ」という横書きの文字列が付されたボタン５１２と、「キャンセル」という横書きの文字列が付されたボタン５１４とが、横並びで表示される。
【００５７】
このような認証操作画面５００が表示された状態において、続くステップＳ９として、当該認証操作画面５００上で、ユーザにより、ＩＤおよびパスワードの入力を含む認証操作が行われる。具体的には、ＩＤを入力するためのフィールド５０４が押下された上で、キー群５１０の適宜の操作キー５０８が押下されることにより、当該フィールド５０４にＩＤが入力される。これと同様に、パーソナルを入力するためのフィールド５０６が押下された上で、キー群５１０の適宜の操作キー５０８が押下されることにより、当該フィールド５０６にパスワードが入力される。その上で、「ＯＫ」ボタン５１２が押下される。
【００５８】
すると、続くステップＳ１１として、携帯端末３０による複合機２０の認証処理が行われる。具体的には、図８に示される認証操作画面５００上で入力されたＩＤおよびパスワードが、つまり前述のステップＳ９における認証操作により入力された当該ＩＤおよびパスワードが、複合機２０から携帯端末３０へ送信される。携帯端末３０は、この複合機２０から送信されたＩＤおよびパスワードを受信して、この受信したＩＤおよびパスワードと、当該携帯端末３０に設定されたＩＤおよびパスワードとが、互いに一致するかどうかを確認する。そして、両者の一致が確認されると、携帯端末３０は、認証が成功したものとして、その結果を複合機２０へ伝える。なお、認証が失敗した場合も、携帯端末３０は、その結果を複合機２０へ伝える。
【００５９】
このステップＳ１１において、たとえば認証が成功すると、続くステップＳ１３として、複合機２０と携帯端末３０との間で、ユニキャストによる１対１の無線接続が確立される。これ以降、複合機２０と携帯端末３０との間で、前述の暗号化方式および暗号化キーを用いての無線通信が行われる。
【００６０】
そして、続くステップＳ１５として、携帯端末３０の前述のフォルダに記憶されている画像データが複合機２０へ転送され、つまり当該複合機２０によって取り込まれる。
【００６１】
さらに、続くステップＳ１７として、複合機２０のディスプレイ２１４ａに、図９に示されるような印刷操作画面６００が表示される。この認証操作画面６００においては、たとえば左側の領域に、取込画像リスト６０２が表示される。この取込画像リスト６０２には、携帯端末３０から取り込まれた画像データに基づく小さめの画像、いわゆるサムネイル６０４、６０４、…が、表示される。なお、図９は、携帯端末３０から複数の画像データが取り込まれることにより、これら複数の画像データに対応する複数のサムネイル６０４、６０４、…が表示された状態の一例を示す。各サムネイル６０４、６０４、…は、所定の順番に従って、たとえばそれぞれに対応する画像データが携帯端末３０から取り込まれた順番に従って、配列される。また、図示は省略するが、携帯端末３０から取り込まれた画像データの数が多いために、それらに対応する全てのサムネイル６０４、６０４、…が取込画像リスト６０２内に一遍に表示されない場合は、当該取込画像リスト６０２内に表示された各サムネイル６０４、６０４、…を適宜にスライドさせることができる。
【００６２】
加えて、この印刷操作画面６００においては、取込画像リスト６０２の右方に、「プリント」という横書きの文字列が付されたボタン６０６と、「送信」という横書きの文字列が付されたボタン６０８と、「保存」という横書きの文字列が付されたボタン６１０とが、縦並びで表示される。併せて、印刷操作画面６００のたとえば右下隅の近傍の部分に、「接続解除」という横書きの文字列が付されたボタン６１２が表示される。
【００６３】
このような印刷操作画面６００が表示された状態において、続くステップＳ１９として、当該印刷操作画面６００上で、ユーザにより、印刷を希望する画像（画像データ）の選択を含む印刷希望操作が行われる。具体的には、取込画像リスト６０２の中から印刷を希望する画像に対応するサムネイル６０４が押下されることで、当該印刷を希望する画像の選択が行われる。このとき、図示は省略するが、いずれの画像が選択されたのかが分かるように、選択された画像に対応するサムネイル６０４に適当な修飾が施され、たとえば当該サムネイル６０４の周りを囲むように太い枠線が付される。なお、これと同じ要領で、複数の画像を選択することができる。この場合も、選択された各画像に対応する各サムネイル６０４、６０４、…のそれぞれに適当な修飾が施される。また、既に選択済の画像に対応するサムネイル６０４が改めて押下されると、当該画像の選択が解除される。この場合、当該選択が解除された画像に対応するサムネイル６０４に付されていた修飾も解除される。このようにして１以上の画像が選択された上で、「プリント」ボタン６０６が押下される。
【００６４】
すると、続くステップＳ２１として、複合機２０のディスプレイ２１４ａに、不図示の印刷用詳細設定画面が表示される。この印刷用詳細設定画面上では、前述の印刷操作画面６００上で選択された、つまりステップＳ１９における印刷希望操作により選択された、画像を印刷する際の詳細な設定をすることができ、たとえば印刷部数やコントラストの設定などをすることができる。そして、この印刷用詳細設定画面上で、印刷の開始を指示するための印刷開始操作が行われると、詳しくは当該印刷用詳細設定画面における「プリント開始」ボタンが押下されると、続くステップＳ２３へ処理が進められる。
【００６５】
ステップＳ２３として、複合機２０による印刷が行われ、詳しくは画像形成部２０４および写真用プリンタ２０８のいずれかによる当該印刷が行われる。画像形成部２０４および写真用プリンタ２０８のいずれにより印刷が行われるのかは、ステップＳ２１における印刷用詳細設定画面上での詳細設定の内容に従う。
【００６６】
なお、図９に示される印刷操作画面６００上で、取込画像リスト６０２内のいずれかのサムネイル６０４が長押しされると、当該印刷操作画面６００の表示態様が、図１０に示されるように変化する。具体的には、取込画像リスト６０２に代えて、長押しされたサムネイル６０４に対応する画像データに基づく大きめの画像６２０が表示される。これに伴い、各ボタン６０６、６０８、６１０および６１２の形状や寸法、配置（レイアウト）などが適宜に変更される。因みに、図１０は、図９に示される印刷操作画面６００において、「画像Ａ」に対応するサムネイル６０４が長押しされた場合の一例を示す。この図１０に示される印刷操作画面６００においても、「プリント」ボタン６０６が押下さると、複合機２０のディスプレイ２１４ａに、前述の印刷用詳細設定画面が表示され、つまり処理がステップＳ２１へ進められる。そして、この印刷用詳細設定画面上で、前述の如く詳細な設定が行われた後、印刷開始操作が行われることにより、ステップＳ２３へ処理が進められる。
【００６７】
ステップＳ２３における複合機２０による印刷が終了すると、当該複合機２０のディスプレイ２１４ａに、改めて印刷操作画面６００が表示される。そして、続くステップＳ２５として、当該印刷操作画面６００上で、ユーザにより、複合機２０と携帯端末３０との無線接続を解除するための無線接続解除操作が行われ、詳しくは当該印刷操作画面６００における「接続解除」ボタン６１２が押下される。
【００６８】
これにより、続くステップＳ２７として、複合機２０と携帯端末３０との間でのユニキャストによる１対１の無線接続が解除される。
【００６９】
そして、続くステップＳ２９として、複合機２０と携帯端末３０とのそれぞれにおいて、所定の終了処理が行われる。たとえば、複合機２０においては、携帯端末３０から取り込まれた画像データが消去される。併せて、図示は省略するが、ディスプレイ２１４ａに所定の終了メッセージが一定期間にわたって表示された後、当該ディスプレイ２１４ａに所定のホーム画面が表示され、言わば複合機２０が初期の状態（待機状態）に戻る。一方、携帯端末３０においては、ディスプレイ３０８ａに所定の終了メッセージが表示されるとともに、表示部３０８の前述した発光素子が所定の態様で点灯し、たとえば点滅する。この携帯端末３０のディスプレイ３０８ａへの終了メッセージの表示、および表示部３０８の発光素子の点滅は、当該携帯端末３０に対して何らかの操作が行われることにより終了する。
【００７０】
これをもって、図６に示される流れに従う画像形成システム１０全体としての一連の処理が終了する。
【００７１】
なお、図６には示されていないが、ステップＳ１９〜ステップＳ２３が繰り返されることによって、印刷が繰り返し行われる場合がある。
【００７２】
また、図７に示される端末リスト画面４００において、「キャンセル」ボタン４１０が押下された場合は、画像形成システム１０全体としての一連の処理が中止される。具体的には、複合機２０と携帯端末３０とのそれぞれにおいて、所定の中止処理が行われる。たとえば、複合機２０においては、ディスプレイ２１４ａに所定の中止メッセージが一定期間にわたって表示された後、当該ディスプレイ２１４ａに所定のホーム画面が表示され、つまり複合機２０が初期の状態に戻る。一方、携帯端末３０においては、ディスプレイ３０８ａに所定の中止メッセージが表示されるとともに、表示部３０８の前述した発光素子が所定の態様で点灯し、たとえば点滅する。この携帯端末３０のディスプレイ３０８ａへの中止メッセージの表示、および表示部３０８の発光素子の点滅は、当該携帯端末３０に対して何らかの操作が行われることにより終了する。
【００７３】
これと同様に、図８に示される認証操作画面５００において、「キャンセル」ボタン５１４が押下された場合も、画像形成システム１０全体としての一連の処理が中止される。すなわち、複合機２０と携帯端末３０とのそれぞれにおいて、前述と同じ要領で中止処理が行われる。
【００７４】
さらに、図９に示される印刷操作画面６００において、前述の如く１以上の画像が選択された上で、たとえば「送信」ボタン６０８が押下されると、複合機２０のディスプレイ２１４ａに、不図示の送信用詳細設定画面が表示される。この送信用詳細設定画面においては、印刷操作画面６００上で選択された画像を任意の送信先へ送信するための詳細な設定を行うことができる。ここで言う送信先としては、たとえば任意のメールアドレスを設定することができる。そして、この送信用詳細設定画面において、送信開始操作が行われると、詳しくは当該送信用詳細設定画面における「送信開始」ボタンが押下されると、設定された送信先へ画像が送信される。このことは、図１０に示される印刷操作画面６００において、「送信」ボタン６０８が押下された場合も、同様である。
【００７５】
また、図９に示される印刷操作画面６００において、１以上の画像が選択された上で、「保存」ボタン６１０が押下されると、複合機２０のディスプレイ２１４ａに、不図示の保存用詳細設定画面が表示される。この保存用詳細設定画面においては、印刷操作画面６００上で選択された画像を任意の保存先に保存するための詳細な設定を行うことができる。ここで言う保存先としては、たとえば任意のクラウドサーバを設定することができる。そして、この保存用詳細設定画面において、保存開始操作が行われると、詳しくは当該保存用詳細設定画面における「保存開始」ボタンが押下されると、設定された保存先へ画像が転送され保存される。このことは、図１０に示される印刷操作画面６００において、「保存」ボタン６１０が押下された場合も、同様である。
【００７６】
このような画像形成システム１０全体としての一連の処理を実現するために、たとえば複合機２０のＣＰＵ２１０ａは、前述の端末接続時制御プログラム２６６に従って、端末接続時制御処理を実行する。この端末接続時制御処理の流れを、図１１〜図１３に示す。なお、ＣＰＵ２１０ａは、携帯端末３０が複合機２０の無線通信可能範囲２０ａ内に入ったときに、この端末接続時制御処理を実行する。
【００７７】
この端末接続時制御処理によれば、ＣＰＵ２１０ａは、まず、図１１に示されるステップＳ１０１において、携帯端末３０に対して、当該携帯端末３０の端末情報を送信するよう要求する。そして、ＣＰＵ２１０ａは、処理をステップＳ１０３へ進める。
【００７８】
ステップＳ１０３において、ＣＰＵ２１０ａは、前述のステップＳ１０１における要求に対する応答として、携帯端末３０から端末情報が送信されてくるのを待つ（Ｓ１０３：ＮＯ）。そして、携帯端末３０から端末情報を受信すると（Ｓ１０３：ＹＥＳ）、ＣＰＵ２１０ａは、処理をステップＳ１０５へ進める。なお、ここで言う端末情報には、前述の如く携帯端末３０のニックネームが含まれる。
【００７９】
ステップＳ１０５において、ＣＰＵ２１０ａは、ディスプレイ２１４ａに端末リスト画面４００（図７参照）を表示する。このとき、前述のステップＳ１０３で受信された携帯端末３０の端末情報に含まれるニックネームが、端末リスト画面４００に反映され、つまり当該端末リスト画面４００における文字列４０４によって表される。なお、文字列４０４によって表されるニックネームは、本発明に係る第２インデックス情報の一例である。そして、この文字列４０４を含む端末リスト画面４００の表示に寄与するＣＰＵ２１０ａとディスプレイ２１４ａとは、本発明に係る第２表示手段の一例である。
【００８０】
ステップＳ１０５の実行後、ＣＰＵ２１０ａは、処理をステップＳ１０７へ進める。このステップＳ１０７において、ＣＰＵ２１０ａは、端末リスト画面４００上で何らかのユーザ操作が受け付けられるのを待つ（Ｓ１０７：ＮＯ）。そして、何らかのユーザ操作が受け付けられると（Ｓ１０７：ＹＥＳ）、ＣＰＵ２１０ａは、処理をステップＳ１０９へ進める。
【００８１】
ステップＳ１０９において、ＣＰＵ２１０ａは、前述のステップＳ１０７で受け付けられたユーザ操作がいずれかの携帯端末３０を選択する選択操作であるかどうかを判定する。ここでたとえば、ユーザ操作が選択操作でない場合、詳しくは端末リスト画面４００上の「キャンセル」ボタン４１０が押下された場合（Ｓ１０９：ＮＯ）、ＣＰＵ２１０ａは、処理をステップＳ１１１へ進める。一方、ユーザ操作が選択操作である場合、つまり端末リスト画面４００上のいずれかの文字列４０４が押下された上で、当該端末リスト画面４００上の「ＯＫ」ボタン４０８が押下された場合（Ｓ１０９：ＹＥＳ）、ＣＰＵ２１０ａは、処理を後述するステップＳ１１５へ進める。なお、ここで言う選択操作は、本発明に係る第２ユーザ操作の一例である。そして、この選択操作を受け付ける端末リスト画面４００、厳密には当該端末リスト画面４００の構成に寄与するＣＰＵ２１０ａとディスプレイ２１４ａとタッチパネル２１６ａとは、本発明に係る第２受付手段の一例である。
【００８２】
ステップＳ１１１において、ＣＰＵ２１０ａは、画像形成システム１０全体としての処理を中止することを携帯端末３０へ通知し、言わば中止通知を行う。そして、ＣＰＵ２１０ａは、自身の処理をステップＳ１１３へ進める。
【００８３】
ステップＳ１１３において、ＣＰＵ２１０ａは、前述の中止処理を実行する。すなわち、ＣＰＵ２１０ａは、ディスプレイ２１４ａに所定の中止メッセージを一定期間にわたって表示した後、当該ディスプレイ２１４ａにホーム画面を表示する。ここで言う一定期間は、たとえば数秒間〜数十秒間程度である。このステップＳ１１３における中止処理の実行をもって、ＣＰＵ２１０ａは、端末接続時制御処理を終了する。
【００８４】
一方、前述のステップＳ１０９からステップＳ１１５へ処理を進めたＣＰＵ２１０ａは、当該ステップＳ１１５において、ディスプレイ２１４ａに認証操作画面５００（図８参照）を表示する。そして、ＣＰＵ２１０ａは、処理をステップＳ１１７へ進める。
【００８５】
ステップＳ１１７において、ＣＰＵ２１０ａは、認証操作画面５００上で何らかのユーザ操作が受け付けられるのを待つ（Ｓ１１７：ＮＯ）。そして、何らかのユーザ操作が受け付けられると（Ｓ１１７：ＹＥＳ）、ＣＰＵ２１０ａは、処理をステップＳ１１９へ進める。
【００８６】
ステップＳ１１９において、ＣＰＵ２１０ａは、ステップＳ１１７で受け付けられたユーザ操作が前述のＩＤおよびパスワードの入力を含む認証操作であるかどうかを判定する。ここでたとえば、ユーザ操作が認証操作でない場合、詳しくは認証操作画面５００上の「キャンセル」ボタン５１４が押下された場合（Ｓ１１９：ＮＯ）、処理を前述のステップＳ１１１へ進める。この場合、画像形成システム１０全体としての処理が中止される。一方、ユーザ操作が認証操作である場合、つまり認証操作画面５００上でＩＤおよびパスワードが入力された上で、当該認証操作画面５００上の「ＯＫ」ボタン５１２が押下された場合（Ｓ１１９：ＹＥＳ）、ＣＰＵ２１０ａは、処理をステップＳ１２１へ進める。なお、ここで言う認証操作は、本発明に係る第３ユーザ操作の一例である。そして、この認証操作を受け付ける認証操作画面５００、厳密には当該認証操作画面５００の構成に寄与するＣＰＵ２１０ａとディスプレイ２１４ａとタッチパネル２１６ａとは、本発明に係る第３受付手段の一例である。
【００８７】
ステップＳ１２１において、ＣＰＵ２１０ａは、携帯端末３０に対して認証要求を行い、詳しくは前述のステップＳ１１７で受け付けられた認証操作により入力されたＩＤおよびパスワードを当該携帯端末３０へ送信する。その上で、ＣＰＵ２１０ａは、図１２に示されるステップＳ１２３へ処理を進める。なお、このステップＳ１２１を実行するＣＰＵ２１０ａは、つまり携帯端末３０に対して認証要求を行う当該ＣＰＵ２１０ａは、本発明に係る認証手段の一例である。
【００８８】
ステップＳ１２３において、ＣＰＵ２１０ａは、認証中であることを表す不図示の認証中メッセージをディスプレイ２１４ａに表示し、厳密には当該認証中メッセージの表示を開始する。そして、ＣＰＵ２１０ａは、処理をステップＳ１２５へ進める。
【００８９】
ステップＳ１２５において、ＣＰＵ２１０ａは、前述のステップＳ１２１における認証要求に対する応答として、携帯端末３０から認証結果が送られてくるのを待つ（Ｓ１２５：ＮＯ）。そして、携帯端末３０から認証結果を受信すると（Ｓ１２５：ＹＥＳ）、ＣＰＵ２１０ａは、処理をステップＳ１２７へ進める。
【００９０】
ステップＳ１２７において、ＣＰＵ２１０ａは、ステップＳ１２５で受信された認証結果が認証の成功を表すのかどうかを判定する。ここでたとえば、当該認証結果が認証の失敗を表す場合（Ｓ１２７：ＮＯ）、ＣＰＵ２１０ａは、処理をステップＳ１２９へ進める。一方、当該認証結果が認証の成功を表す場合（Ｓ１２７：ＹＥＳ）、ＣＰＵ２１０ａは、処理を後述するステップＳ１３１へ進める。
【００９１】
ステップＳ１２９において、ＣＰＵ２１０ａは、認証が失敗したことを表す不図示のメッセージを、前述のステップＳ１２３で表示が開始された認証中メッセージに代えて、一定期間にわたってディスプレイ２１４ａに表示する。ここで言う一定期間は、たとえば数秒間程度である。そして、ＣＰＵ２１０ａは、改めて認証操作またはその他の操作を受け付けるべく、処理をステップＳ１１７へ戻す。
【００９２】
一方、前述のステップＳ１２７からステップＳ１３１へ処理を進めたＣＰＵ２１０ａは、当該ステップＳ１３１において、認証が成功したことを表す不図示のメッセージを、前述の認証中メッセージに代えて、一定期間にわたってディスプレイ２１４ａに表示する。ここで言う一定期間もまた、たとえば数秒間程度である。そして、ＣＰＵ２１０ａは、処理をステップＳ１３３へ進める。
【００９３】
ステップＳ１３３において、ＣＰＵ２１０ａは、携帯端末３０との間でユニキャストによる１対１の無線接続を確立する。これ以降（かつ当該無線接続が解除されるまで）、ＣＰＵ２１０ａは、携帯端末３０との間で無線通信を行う際に、前述の暗号化方式および暗号化キーを用いる。このステップＳ１３３の実行後、ＣＰＵ２１０ａは、処理をステップＳ１３５へ進める。
【００９４】
ステップＳ１３５において、ＣＰＵ２１０ａは、携帯端末３０に対して、画像データを送信するよう要求する。そして、ＣＰＵ２１０ａは、処理をステップＳ１３７へ進める。
【００９５】
ステップＳ１３７において、ＣＰＵ２１０ａは、携帯端末３０から画像を取り込んでいる最中であることを表す不図示の画像取込中メッセージをディスプレイ２１４ａに表示し、厳密には当該画像取込中メッセージの表示を開始する。そして、ＣＰＵ２１０ａは、処理をステップＳ１３９へ進める。
【００９６】
ステップＳ１３９において、ＣＰＵ２１０ａは、前述のステップＳ１３５における要求に対する応答として、携帯端末３０から画像データが送信されてくるのを待つ（Ｓ１３９：ＮＯ）。そして、携帯端末３０から画像データを受信すると（Ｓ１３９：ＹＥＳ）、ＣＰＵ２１０ａは、図１３に示されるステップＳ１４１へ処理を進める。なお、このステップＳ１３９を実行するＣＰＵ２１０ａは、つまり携帯端末３０から画像データを取り込む当該ＣＰＵ２１０ａは、本発明に係る第１取込手段の一例である。また、詳しい図示は省略するが、このステップＳ１３９における携帯端末３０からの画像データの取り込みには、つまり当該画像データの転送には、当該転送の対象となる画像データの総容量に応じた時間が掛かる。
【００９７】
ステップＳ１４１において、ＣＰＵ２１０ａは、ディスプレイ２１４ａに印刷操作画面６００（図９参照）を表示する。この印刷操作画面６００が表示されることにより、前述のステップＳ１３７で表示が開始された画像取込中メッセージの当該表示が終了する。なお、印刷操作画面６００におけるそれぞれのサムネイル６０４は、本発明に係る第１インデックス情報の一例である。そして、この印刷操作画面６００の表示に寄与するＣＰＵ２１０ａとディスプレイ２１４ａとは、本発明に係る第１表示手段の一例である。
【００９８】
ステップＳ１４１の実行後、ＣＰＵ２１０ａは、処理をステップＳ１４３へ進める。このステップＳ１４３において、ＣＰＵ２１０ａは、印刷操作画面６００上で何らかのユーザ操作が受け付けられるのを待つ（Ｓ１４３：ＮＯ）。また、このステップＳ１４３においては、ディスプレイ２１４ａに前述の印刷用詳細設定画面が表示されている場合があり、この場合は、ＣＰＵ２１０ａは、当該印刷用詳細設定画面上で何らかのユーザ操作が受け付けられるのを待つ（Ｓ１４３：ＮＯ）。そして、何らかのユーザ操作が受け付けられると（Ｓ１４３：ＹＥＳ）、ＣＰＵ２１０ａは、処理をステップＳ１４５へ進める。
【００９９】
ステップＳ１４５において、ＣＰＵ２１０ａは、前述のステップＳ１４３で受け付けられたユーザ操作が前述の印刷用詳細設定画面上における印刷開始操作であるかどうかを判定する。ここでたとえば、ユーザ操作が印刷開始操作である場合（Ｓ１４５：ＹＥＳ）、ＣＰＵ２１０ａは、処理をステップＳ１４７へ進める。一方、ユーザ操作が印刷開始操作でない場合、ＣＰＵ２１０ａは、処理を後述するステップＳ１４９へ進める。なお、印刷用詳細設定画面上での印刷開始操作が行われる前に、前述の如くディスプレイ２１４ａに印刷操作画面６００が表示され、この印刷操作画面６００上で、印刷を希望する画像の選択を含む印刷希望操作が行われる。この印刷希望操作は、本発明に係る第１ユーザ操作の一例である。そして、この印刷希望操作を受け付ける印刷操作画面６００、厳密には当該印刷操作画面６００の構成に寄与するＣＰＵ２１０ａとディスプレイ２１４ａとタッチパネル２１６ａとは、本発明に係る第１受付手段の一例である。
【０１００】
ステップＳ１４７において、ＣＰＵ２１０ａは、印刷を実行し、厳密には当該印刷が実行されるように画像形成部２０４および写真用プリンタ２０８のいずれかを制御する。このステップＳ１４７の実行後、ＣＰＵ２１０ａは、処理をステップＳ１４１へ戻す。
【０１０１】
一方、前述のステップＳ１４５からステップＳ１４９へ処理を進めたＣＰＵ２１０ａは、当該ステップＳ１４９において、ステップＳ１４３で受け付けられたユーザ操作が無線接続解除操作であるかどうかを判定する。ここでたとえば、当該ユーザ操作が無線接続解除操作でない場合、言わばその他の操作である場合（Ｓ１４９：ＮＯ）、ＣＰＵ２１０ａは、処理をステップＳ１５１へ進める。一方、当該ユーザ操作が無線接続解除操作である場合、つまり印刷操作画面６００（図９参照）上の「接続解除」ボタン６１２が押下された場合（Ｓ１４９：ＹＥＳ）、ＣＰＵ２１０ａは、処理を後述するステップＳ１５３へ進める。
【０１０２】
ステップＳ１５１において、ＣＰＵ２１０ａは、前述のステップＳ１４３で受け付けられたユーザ操作に応じた処理を行う。この処理には、たとえば前述の印刷用詳細設定画面をディスプレイ２１４ａに表示する処理が含まれる。また、当該処理には、前述の送信用詳細設定画面または保存用詳細設定画面をディスプレイ２１４ａに表示する処理も含まれる。
【０１０３】
一方、ステップＳ１４９からステップＳ１５３へ処理を進めたＣＰＵ２１０ａは、当該ステップＳ１５３において、携帯端末３０との間での前述のユニキャストによる１対１の無線接続を解除することを当該携帯端末３０へ通知し、言わば接続解除通知を行う。そして、ＣＰＵ２１０ａは、処理をステップＳ１５５へ進める。
【０１０４】
ステップＳ１５５において、ＣＰＵ２１０ａは、携帯端末３０との間でのユニキャストによる１対１の無線接続を解除する。そして、ＣＰＵ２１０ａは、処理をステップＳ１５７へ進める。
【０１０５】
ステップＳ１５７において、ＣＰＵ２１０ａは、前述の終了処理を実行する。すなわち、ＣＰＵ２１０ａは、携帯端末３０から取り込まれた画像データを消去する。併せて、ＣＰＵ２１０ａは、所定の終了メッセージを一定期間にわたってディスプレイ２１４ａに表示した後、所定のホーム画面を当該ディスプレイ２１４ａに表示する。ここで言う一定期間は、たとえば数秒間〜数十秒間程度である。これをもって、ＣＰＵ２１０ａは、端末接続時制御処理を終了する。そして、複合機２０は、初期の状態に戻る。
【０１０６】
これに対して、携帯端末３０のＣＰＵ３０２ａは、前述の複合機接続時制御プログラム３６０に従って複合機接続時制御処理を実行する。この複合機接続時制御処理の流れを、図１４に示す。なお、ＣＰＵ３０２ａは、携帯端末３０が複合機２０の無線通信可能範囲２０ａ内に入ったときに、この複合機接続時制御処理を実行する。また、この複合機接続時制御処理の実行に際しては、前述の専用アプリが起動される必要はない。
【０１０７】
この複合機接続時制御処理によれば、ＣＰＵ３０２ａは、まず、ステップＳ２０１において、複合機２０から前述の端末情報の送信要求を受信するのを待つ（Ｓ２０１：ＮＯ）。そして、複合機２０から端末情報の送信要求を受信すると（Ｓ２０１：ＹＥＳ）、ＣＰＵ３０２ａは、処理をステップＳ２０３へ進める。
【０１０８】
ステップＳ２０３において、ＣＰＵ３０２ａは、前述のニックネームを含む端末情報を複合機２０へ送信する。そして、ＣＰＵ３０２ａは、処理をステップＳ２０５へ進める。
【０１０９】
ステップＳ２０５において、ＣＰＵ３０２ａは、複合機２０から前述の認証要求を受信したかどうかを判定する。ここでたとえば、複合機２０から認証要求を受信していない場合（Ｓ２０５：ＮＯ）、ＣＰＵ３０２ａは、処理をステップＳ２０７へ進める。一方、複合機２０から認証情報を受信した場合（Ｓ２０５：ＹＥＳ）、ＣＰＵ３０２ａは、処理を後述するステップＳ２１１へ進める。
【０１１０】
ステップＳ２０７において、ＣＰＵ３０２ａは、複合機２０から前述の中止通知を受信したかどうかを判定する。ここでたとえば、複合機２０から中止通知を受信していない場合（Ｓ２０７：ＮＯ）、ＣＰＵ３０２ａは、処理をステップＳ２０５へ戻す。一方、複合機２０から中止通知を受信した場合（Ｓ２０７：ＹＥＳ）、ＣＰＵ３０２ａは、処理をステップＳ２０９へ進める。
【０１１１】
ステップＳ２０９において、ＣＰＵ３０２ａは、前述の中止処理を実行する。すなわち、ＣＰＵ３０２ａは、ディスプレイ３０８ａに所定の中止メッセージを表示するとともに、表示部３０８の前述した発光素子を点滅させる。このステップＳ２０９における中止処理の実行をもって、ＣＰＵ３０２ａは、複合機接続時制御処理を終了する。なお、ＣＰＵ３０２ａは、携帯端末３０に対して何らかの操作が行われたときに、つまりタッチパネル３１０ａを含む操作部３１０が何らかの操作を受け付けたときに、ディスプレイ３０８ａへの中止メッセージの表示、および表示部３０８の発光素子の点滅を、終了する。
【０１１２】
一方、前述のステップＳ２０５からステップＳ２１１へ処理を進めたＣＰＵ３０２ａは、当該ステップＳ２１１において、前述の認証処理を行う。すなわち、ＣＰＵ３０２ａは、ステップＳ２０５で受信された認証要求に付随されたＩＤおよびパスワードと、携帯端末３０に設定されたＩＤおよびパスワードとを、照合して、両者が互いに一致するかどうかを確認する。その上で、ＣＰＵ３０２ａは、処理をステップＳ２１３へ進める。
【０１１３】
ステップＳ２１３において、ＣＰＵ３０２ａは、前述のステップＳ２１１における照合の結果、認証が成功したかどうかを判定する。ここでたとえば、認証が成功した場合、つまり複合機２０から受信したＩＤおよびパスワードと携帯端末３０に設定されたＩＤおよびパスワードとが互いに一致した場合（Ｓ２１１：ＹＥＳ）、ＣＰＵ３０２ａは、処理を後述するステップＳ２１７へ進める。一方、認証が失敗した場合、つまり複合機２０から受信したＩＤおよびパスワードと携帯端末３０に設定されたＩＤおよびパスワードとが互いに一致しない場合（Ｓ２１１：ＮＯ）、ＣＰＵ３０２ａは、処理をステップＳ２１５へ進める。
【０１１４】
ステップＳ２１５において、ＣＰＵ３０２ａは、前述の認証が失敗したことを表す認証結果を複合機２０へ送信する。そして、ＣＰＵ３０２ａは、処理をステップＳ２０５へ戻す。
【０１１５】
一方、ステップＳ２１３からステップＳ２１７へ処理を進めたＣＰＵ３０２ａは、当該ステップＳ２１７において、前述の認証が成功したことを表す認証結果を複合機２０へ送信する。そして、ＣＰＵ３０２ａは、処理をステップＳ２１９へ進める。
【０１１６】
ステップＳ２１９において、ＣＰＵ３０２ａは、複合機２０との間で前述のユニキャストによる１対１の無線接続を確立する。これ以降（かつ当該無線接続が解除されるまで）、ＣＰＵ３０２ａは、複合機２０との間で無線通信を行う際に、前述の暗号化方式および暗号化キーを用いる。このステップＳ２１９の実行後、ＣＰＵ２１０ａは、処理をステップＳ２２１へ進める。
【０１１７】
ステップＳ２１１において、ＣＰＵ３０２ａは、複合機２０から画像データの送信要求を受信するのを待つ（Ｓ２１１：ＮＯ）。そして、複合機２０から画像データの送信要求を受信すると（Ｓ２１１：ＹＥＳ）、ＣＰＵ３０２ａは、処理をステップＳ２２３へ進める。
【０１１８】
ステップＳ２２３において、ＣＰＵ３０２ａは、補助記憶部３０４内の前述のフォルダにアクセスして、当該フォルダに記憶されている画像データを読み出す。そして、ＣＰＵ３０２ａは、この読み出された画像データを複合機２０へ送信する。その上で、ＣＰＵ３０２ａは、処理をステップＳ２２５へ進める。なお、このステップＳ２２３における複合機２０への画像データの送信には、つまり当該画像データの転送には、当該転送の対象となる画像データの総容量に応じた時間が掛かる。
【０１１９】
ステップＳ２２５において、ＣＰＵ３０２ａは、複合機２０から前述の接続解除通知を受信するのを待つ（Ｓ２２５：ＮＯ）。そして、複合機２０から接続解除通知を受信すると、ＣＰＵ３０２ａは、処理をステップＳ２２７へ進める。
【０１２０】
ステップＳ２２７において、ＣＰＵ３０２ａは、複合機２０との間でのユニキャストによる１対１の無線接続を解除する。そして、ＣＰＵ３０２ａは、処理をステップＳ２２９へ進める。
【０１２１】
ステップＳ２２９において、ＣＰＵ３０２ａは、前述の終了処理を実行する。すなわち、ＣＰＵ３０２ａは、ディスプレイ３０８ａに所定の終了メッセージを表示するとともに、表示部３０８の前述した発光素子を点滅させる。なお、ＣＰＵ３０２ａは、携帯端末３０に対して何らかの操作が行われたときに、つまりタッチパネル３１０ａを含む操作部３１０が何らかの操作を受け付けたときに、ディスプレイ３０８ａへの終了メッセージの表示、および表示部３０８の発光素子の点滅を、終了する。このステップＳ２２９における終了処理の実行をもって、ＣＰＵ３０２ａは、一連の複合機接続時制御処理を終了する。
【０１２２】
以上のように、本第１実施例によれば、携帯端末３０のユーザは、該携帯端末３０に記憶されている画像データを複合機２０へ転送して印刷することができる。その際、ユーザは、携帯端末３０を操作することなく、複合機２０のみを操作することにより、当該印刷をすることができる。すなわち、当該印刷の際の操作性の向上が図られ、ひいては効率性の向上が図られる。
【０１２３】
［第２実施例］
次に、本発明の第２実施例について説明する。
【０１２４】
前述したように、第１実施例においては、携帯端末３０から複合機２０へ画像データが転送される際に、当該画像データの総容量に応じた時間が掛かる。したがってたとえば、携帯端末３０から複合機２０へ転送される画像データの総容量が大きいほど、つまり当該画像データの数が多いほど、当該画像データの転送に長い時間が掛かる。
【０１２５】
そこで、本第２実施例においては、携帯端末３０から複合機２０への画像データの転送に掛かる時間の短縮化を図るべく、当該転送の対象となる画像データが所定の条件に応じて絞り込まれ、詳しくは当該画像データが記憶された日付に応じて絞り込まれる。具体的には、図６に示される画像形成システム１０全体の処理の流れにおいて、ステップＳ１３とステップＳ１５との間に、図１５に示されるステップＳ３０１とステップＳ３０３とが設けられる。なお、ここでは、画像データが、前述のカメラによって撮影された写真のデータであるものとし、当該画像データが記憶された日付とは、当該写真の撮影日であるものとする。
【０１２６】
すなわち、図１５に示されるように、ステップＳ１３に続くステップＳ３０１として、複合機２０のディスプレイ２１４ａに、図１６に示されるような写真取込操作画面７００が表示される。この写真取込操作画面７００においては、たとえばその上部に、ユーザに対して自身の携帯端末３０から取り込む写真（画像データ）の撮影日を指定することを促す適当な横書きの文字列７０２が表示される。なお、図１６は、複合機２０との間で無線接続が確立された通信相手が、前述の「ＡＡＡＡＡ」というニックネームが付された携帯端末３０である場合の一例を示す。
【０１２７】
そして、この写真取込操作画面７００においては、文字列７０２の下方に、写真の撮影日を入力するための、詳しくは当該撮影日を期間で指定するための、言わば期間指定用の、横長の入力部７０４が表示される。さらに、この期間指定用の入力部７０４の下方に、別の横長の入力部７０６が表示される。この入力部７０４は、写真の撮影日を１日のみの日付で指定するための、言わば日付指定用の、入力部である。また、この日付指定用の入力部７０４の下方に、さらに別の入力部７０８が表示される。この入力部７０８は、写真の撮影日を任意の日以降という形で指定するための、言わば末日指定用の、入力部である。加えて、この末日指定用の入力部７０８の下方に、さらに別の入力部７１０が表示される。この入力部７１０は、写真の撮影日を任意の日以前という形で指定するための、言わば初日指定用の、入力部である。すなわち、計４つの入力部７０４、７０６、７０８および７１０が設けられる。
【０１２８】
なお、４つの入力部７０４、７０６、７０８および７１０の左側端部は、互いに揃えられている。そして、期間指定用の入力部７０４以外の各入力部７０６、７０８および７１０は、当該機関指定用の入力部７０４よりも長さが短い。したがって、期間指定用の入力部７０４の下方であって、当該期間指定用の入力部７０４以外の各入力部７０６、７０８および７１０の右方に、適当な空間がある。そして、この空間に、複数の操作キー７１２、７１２、…を含むテンキー７１４が表示される。さらに、このテンキー７１４の下方に、「ＯＫ」という横書きの文字列が付されたボタン７１６と、「キャンセル」という横書きの文字列が付されたボタン７１８とが、横並びで表示される。
【０１２９】
このような写真取込操作画面７００が表示された状態において、続くステップＳ３０３として、当該写真取込操作画面７００上で、ユーザにより、携帯端末３０から取り込む写真の撮影日の指定を含む取込操作が行われる。具体的には、写真取込操作画面７００上の４つの入力部７０４、７０６、７０８および７１０のいずれかが押下された上で、テンキー７１４の適宜の操作キー７１２が押下されることにより、写真の撮影日が入力される。なお、図１６は、期間指定用の入力部７０４に、写真の撮影日として「２０１８年０１月０１日〜２０１８年０５月０１日」という期間が入力された場合を示す。この場合、期間指定用の入力部７０４に、言わば有効化された入力部７０４に、適当な修飾が施され、たとえば当該入力部７０４を囲むように太い枠線７０４ａが付される。また、期間指定用の入力部７０４以外の言わば無効化されている各入力部７０６、７０８および７１０は、たとえばグレーアウト表示される。このことは、期間指定用の入力部７０４以外の各入力部７０６、７０８および７１０のいずれかが有効化された場合も、同様である。
【０１３０】
このようにして４つの入力部７０４、７０６、７０８および７１０のいずれかに写真の撮影日が入力された上で、「ＯＫ」ボタン７１６が押下されることにより、当該写真の撮影日の指定を含む取込操作が完了する。そして、続くステップＳ１５として、携帯端末３０から複合機２０への画像データの転送が行われる。このとき、携帯端末３０から複合機２０へは、ステップＳ３０３における取込操作により指定された撮影日に該当する画像データのみが転送される。
【０１３１】
なお、図１６に示される写真取込操作画面７００において、「キャンセル」ボタン７１８が押下された場合は、画像形成システム１０全体としての一連の処理が中止される。すなわち、複合機２０と携帯端末３０とのそれぞれにおいて、前述の中止処理が行われる。
【０１３２】
このような写真取込操作画面７００が表示される本第２実施例においても、複合機２０のＣＰＵ２１０ａは、前述の端末接続時制御プログラム２６６に従って、端末接続時制御処理を実行する。ただし、本第２実施例においては、図１１〜図１３に示される端末接続時制御処理の流れうちのステップＳ１３５（図１２参照）に代えて、図１７に示されるステップＳ４０１〜ステップＳ４０７が設けられる。
【０１３３】
すなわち、ステップＳ１３３（図１２参照）の実行後、ＣＰＵ２１０ａは、処理をステップＳ４０１へ進める。そして、このステップＳ４０１において、ＣＰＵ２１０ａは、ディスプレイ３０８ａに写真取込操作画面７００を表示する。その後、ＣＰＵ２１０ａは、処理をステップＳ４０３へ進める。
【０１３４】
ステップＳ４０３において、ＣＰＵ２１０ａは、写真取込操作画面７００上で何らかのユーザ操作が受け付けられるのを待つ（Ｓ４０３：ＮＯ）。そして、何らかのユーザ操作が受け付けられると（Ｓ４０３：ＹＥＳ）、ＣＰＵ２１０ａは、処理をステップＳ４０５へ進める。
【０１３５】
ステップＳ４０５において、ＣＰＵ２１０ａは、ステップＳ４０３で受け付けられたユーザ操作が前述の取込操作であるかどうかを判定する。ここでたとえば、ユーザ操作が取込操作でない場合、詳しくは写真読取操作画面７００上の「キャンセル」ボタン７１８が押下された場合（Ｓ４０５：ＮＯ）、ＣＰＵ２１０ａは、処理をステップＳ１１１（図１１参照）へ進める。一方、ユーザ操作が取込操作である場合、つまり写真読取操作画面７００上の４つの入力部７０４、７０６、７０８および７１０のいずれかに写真の撮影日が入力された上で、「ＯＫ」ボタン７１６が押下された場合（Ｓ４０５：ＹＥＳ）、ＣＰＵ２１０ａは、処理をステップＳ４０７へ進める。なお、ここで言う取込操作は、本発明に係る第４ユーザ操作の一例である。そして、この取込操作を受け付ける写真取込操作画面７００、厳密には当該写真取込操作画面７００の構成に寄与するＣＰＵ２１０ａとディスプレイ２１４ａとタッチパネル２１６ａとは、本発明に係る第４受付手段の一例である。
【０１３６】
ステップＳ４０７において、ＣＰＵ２１０ａは、携帯端末３０に対して、画像データを送信するよう要求する。このとき、ＣＰＵ２１０ａは、送信の対象となる画像データ（写真）の撮影日を指定する。その後、ＣＰＵ２１０ａは、処理をステップＳ１３７（図１２参照）へ進める。
【０１３７】
これに対して、携帯端末３０のＣＰＵ３０２ａは、前述の複合機接続時制御プログラム３６０に従って、図１４に示される流れで複合機接続時制御処理を実行する。特に、ステップＳ２２１において、ＣＰＵ３０２ａは、前述の如く複合機２０から画像データの送信要求を受信するが、この送信要求には、送信の対象となる画像データ（写真）の撮影日の指定が含まれる。
【０１３８】
そして、ＣＰＵ３０２ａは、続くステップＳ２２３において、ステップＳ２２１で受信された送信要求に含まれる写真の撮影日に該当する画像データを、補助記憶部３０４内の前述のフォルダから読み出す。そして、ＣＰＵ３０２ａは、この読み出された画像データ、つまり複合機２０からの送信要求に含まれる写真の撮影日に該当する当該画像データを、複合機２０へ送信する。その上で、ＣＰＵ３０２ａは、処理をステップＳ２２５へ進める。
【０１３９】
このように、本第２実施例によれば、携帯端末３０から複合機２０へ転送される画像データが絞り込まれる。これにより、携帯端末３０から複合機２０への画像データの転送に掛かる時間が短縮化される。このことは、画像形成システム１０全体としての処理の効率性の向上に大きく貢献する。
【０１４０】
［第３実施例］
次に、本発明の第３実施例について説明する。
【０１４１】
本第３実施例においては、携帯端末３０から複合機２０へ画像データが転送される前に、前述のフォルダに記憶されている全ての画像データについてのメタデータが、当該携帯端末３０から複合機２０へ送信される。たとえば、ここで言う画像データが、前述のカメラによって撮影された写真のデータであるとすると、この画像データについてのメタデータとしては、当該画像データのファイル名、撮影日時、撮影場所、任意に付されたコメントなどのテキストデータが含まれる。このようなメタデータは、画像データよりも容量がかなり小さい。そして、このメタデータを受信した複合機２０においては、当該メタデータを参考にして、転送を希望する画像データの指定を含む取込操作が行われる。そして、この取込操作により指定された画像データが、実際に携帯端末３０から当該複合機２０へ転送される。これにより、携帯端末３０から複合機２０への画像データの転送に掛かる時間の短縮化が図られる。
【０１４２】
これを実現するために、本第３実施例においては、図６に示される画像形成システム１０全体の処理の流れのうちのステップＳ１３とステップＳ１５との間に、図１８に示されるステップＳ５０１〜ステップＳ５０５が設けられる。
【０１４３】
すなわち、図１８に示されるように、ステップＳ１３に続くステップＳ５０１として、携帯端末３０の前述のフォルダに記憶されている全ての画像データについてのメタデータが、当該携帯端末３０から複合機２０へ送信される。
【０１４４】
そして、続くステップＳ５０３として、複合機２０のディスプレイ２１４ａに、図１９に示されるような事前取込操作画面８００が表示される。この事前取込操作画面８００においては、たとえばその略中央に、画像データリスト８０２が表示される。そして、この画像データリスト８０２には、携帯端末３０の前述のフォルダに記憶されている全ての画像データについての情報が表示される。この情報としては、それぞれの画像データのファイル名、撮影日時、撮影場所およびコメントが表示される。これらの情報は、前述のステップＳ５０１で携帯端末３０から受信されたメタデータに基づく。また、それぞれの画像データには、適宜の番号（Ｎｏ．）が自動的に付される。なお、図示は省略するが、複数の画像データが存在する場合は、これら複数の画像データについてのメタデータに基づく情報が画像データリスト８０２内に縦一列に表示される。また、画像データの数が多いために、それらに対応する全てのメタデータに基づく情報が画像データリスト８０２内に一遍に表示されない場合は、当該画像データリスト８０２内に表示される各情報を上下方向へスクロールさせることができる。
【０１４５】
さらに、事前取込操作画面８００においては、たとえば画像データリスト８０２の上方に、ユーザに対して自身の携帯端末３０から取り込む画像データ（写真）を指定することを促す適当な横書きの文字列８０４が表示される。なお、図１９は、画像データの取込先が、前述の「ＡＡＡＡＡ」というニックネームが付された携帯端末３０である場合の一例を示す。加えて、画像データリスト８０２の下方に、「ＯＫ」という横書きの文字列が付されたボタン８０６と、「キャンセル」という横書きの文字列が付されたボタン８０８とが、横並びで表示される。
【０１４６】
このような事前取込操作画面８００が表示された状態において、続くステップＳ５０５として、当該事前取込操作画面８００上で、ユーザにより、携帯端末３０から取り込みを希望する画像データの指定を含む取込操作が行われる。具体的には、画像データリスト８０２の中から取り込みを希望する画像データに対応する情報が押下され、つまり当該画像データが指定される。なお、いずれの画像データが指定されたのかが分かるように、指定された画像データに対応する情報に適当な修飾が施され、たとえば当該情報がハイライト表示されえる。また、これと同じ要領で、複数の画像データを指定することができる。この場合も、指定された画像データに対応する情報に適当な修飾が施される。さらに、既に指定済の画像データに対応する情報が改めて押下されると、当該画像データの指定が解除される。このようにして１以上の画像データが指定された上で、「ＯＫ」ボタン４０８が押下される。これにより、携帯端末３０からの取り込みを希望する画像データの指定を含む取込操作が完了する。
【０１４７】
そして、続くステップＳ１５として、携帯端末３０から複合機２０への画像データの転送が行われる。このとき、携帯端末３０から複合機２０へは、ステップＳ５０５における取込操作により指定された画像データのみが転送される。
【０１４８】
なお、図１９に示される事前取込操作画面８００において、「キャンセル」ボタン８０８が押下された場合は、画像形成システム１０全体としての一連の処理が中止される。すなわち、複合機２０と携帯端末３０とのそれぞれにおいて、前述の中止処理が行われる。
【０１４９】
このような事前取込操作画面８００が表示される本第３実施例においても、複合機２０のＣＰＵ２１０ａは、前述の端末接続時制御プログラム２６６に従って、端末接続時制御処理を実行する。ただし、本第３実施例においては、図１１〜図１３に示される端末接続時制御処理の流れうちのステップＳ１３５（図１２参照）に代えて、図２０に示されるステップＳ６０１〜ステップＳ６１１が設けられる。
【０１５０】
すなわち、ステップＳ１３３（図１２参照）の実行後、ＣＰＵ２１０ａは、処理をステップＳ６０１へ進める。そして、このステップＳ６０１において、ＣＰＵ２１０ａは、携帯端末３０に対して、前述のメタデータを送信するよう要求する。そして、ＣＰＵ２１０ａは、処理をステップＳ６０３へ進める。
【０１５１】
ステップＳ６０３において、ＣＰＵ２１０ａは、前述のステップＳ６０１における要求に対する応答として、携帯端末３０からメタデータが送信されてくるのを待つ（Ｓ６０３：ＮＯ）。そして、携帯端末３０からメタデータを受信すると（Ｓ６０３：ＹＥＳ）、ＣＰＵ２１０ａは、処理をステップＳ６０５へ進める。なお、このステップＳ６０３において、携帯端末３０から取り込まれるメタデータは、本発明に係る第３インデックス情報の一例である。そして、このメタデータを取り込むＣＰＵ２１０ａは、本発明に係る第２取込手段の一例である。
【０１５２】
ステップＳ６０５において、ＣＰＵ２１０ａは、ディスプレイ２１４ａに事前取込操作画面８００（図１９参照）を表示する。このとき、前述のステップＳ６０３で受信されたメタデータに含まれる情報が、事前取込操作画面８００に反映され、つまり当該事前取込操作画面８００における画像データリスト８０２内に表示される。なお、画像データリスト８０２を含む事前取込操作画面８００の表示に寄与するＣＰＵ２１０ａとディスプレイ２１４ａとは、本発明に係る第３表示手段の一例である。
【０１５３】
ステップＳ６０５の実行後、ＣＰＵ２１０ａは、処理をステップＳ６０７へ進める。このステップＳ６０７において、ＣＰＵ２１０ａは、事前取込操作画面８００上で何らかのユーザ操作が受け付けられるのを待つ（Ｓ６０７：ＮＯ）。そして、何らかのユーザ操作が受け付けられると（Ｓ６０７：ＹＥＳ）、ＣＰＵ２１０ａは、処理をステップＳ６０９へ進める。
【０１５４】
ステップＳ６０９において、ＣＰＵ２１０ａは、ステップＳ６０７で受け付けられたユーザ操作が前述の取込操作であるかどうかを判定する。ここでたとえば、ユーザ操作が取込操作でない場合、詳しくは事前取込操作画面８００上の「キャンセル」ボタン８０８が押下された場合（Ｓ６０９：ＮＯ）、ＣＰＵ２１０ａは、処理をステップＳ１１１（図１参照）へ進める。一方、ユーザ操作が取込操作である場合、つまり事前取込操作画面８００の画像データリスト８０２内で１以上の画像データが指定された上で、「ＯＫ」ボタン８０６が押下された場合（Ｓ６０９：ＹＥＳ）、ＣＰＵ２１０ａは、処理をステップＳ６１１へ進める。なお、ここで言う取込操作は、本発明に係る第５ユーザ操作の一例である。そして、この取込操作を受け付ける事前取込操作画面８００、厳密には当該事前取込操作画面８００の構成に寄与するＣＰＵ２１０ａとディスプレイ２１４ａとタッチパネル２１６ａとは、本発明に係る第５受付手段の一例である。
【０１５５】
ステップＳ６１１において、ＣＰＵ２１０ａは、携帯端末３０に対して、画像データを送信するよう要求する。このとき、ＣＰＵ２１０ａは、送信の対象となる画像データ（写真）を指定する。その後、ＣＰＵ２１０ａは、処理をステップＳ１３７（図１２参照）へ進める。
【０１５６】
これに対して、携帯端末３０のＣＰＵ３０２ａは、前述の複合機接続時制御プログラム３６０に従って、複合機接続時制御処理を実行する。ただし、本第３実施例においては、図１４に示される複合機接続時制御処理の流れのうちのステップＳ２１９とステップＳ２２１との間に、図２１に示されるステップＳ７０１およびステップＳ７０３が設けられる。
【０１５７】
すなわち、ステップＳ２１９の実行後、ＣＰＵ２１０ａは、処理をステップＳ７０１へ進める。このステップＳ７０１において、ＣＰＵ２１０ａは、複合機２０から前述のメタデータの送信要求を受信するのを待つ（Ｓ７０１：ＮＯ）。そして、複合機２０からメタデータの送信要求を受信すると（Ｓ７０１：ＹＥＳ）、ＣＰＵ３０２ａは、処理をステップＳ７０３へ進める。
【０１５８】
ステップＳ７０３において、ＣＰＵ３０２ａは、前述のフォルダに記憶されている全ての画像データについてのメタデータを複合機２０へ送信する。そして、ＣＰＵ３０２ａは、処理をステップＳ２２１へ進める。
【０１５９】
このように、本第３実施例によれば、携帯端末３０から複合機２０へ画像データが転送される前に、前述のフォルダに記憶されている全ての画像データについてのメタデータが、当該携帯端末３０から複合機２０へ送信される。そして、このメタデータを参考にして、転送を希望する画像データが指定され、この指定された画像データのみが実際に転送される。これにより、画像データの転送に掛かる時間が短縮化される。このこともまた、画像形成システム１０全体としての処理の効率性の向上に大きく貢献する。
【０１６０】
［その他の適用例］
以上の各実施例は、本発明の具体例であり、本発明の技術的範囲を限定するものではない。これら各実施例以外の局面にも、本発明を適用することができる。
【０１６１】
たとえば、前述のステップＳ２５（図６参照）において、印刷操作画面６００（図９参照）上で無線接続解除操作が行われたときに、詳しくは「接続解除」ボタン６１２が押下されたときに、複合機２０と携帯端末３０との間での１対１の無線接続が解除されることとしたが、これに限らない。これに代えて、あるいは、これに加えて、携帯端末３０が複合機２０の無線通信可能範囲２０ａ内から外れたときに、当該無線接続が解除されてもよい。また、複合機２０にユーザを検知するための人感センサやマット式センサなどのユーザ検知手段が設けられている場合には、このユーザ検知手段によりユーザが検知されなくなったときに、当該無線接続が解除されてもよい。
【０１６２】
さらに、印刷操作画面６００（図９参照）における取込画像リスト６０２に代えて、換言すればそれぞれの画像データに対応するサムネイル６０４に代えて、当該画像データのファイル名などの情報が、とりわけテキスト（文字）情報が、表示されてもよい。
【０１６３】
そして、第１実施例においては、ステップＳ１５（図６参照）における携帯端末３０から複合機２０への画像データの転送の際に、前述のフォルダ内に記憶されている全ての画像データが言わば一括して転送されることとしたが、これに限らない。たとえば、複合機２０側のユーザ操作に応じて、当該画像データが所定数ずつ、言わば小出しで、転送されてもよい。
【０１６４】
また、第２実施例においては、携帯端末３０から複合機２０へ転送される画像データを絞り込む条件として、写真の撮影日が指定されたが、これに限らない。この写真の撮影日に代えて、あるいは、これに加えて、当該写真の撮影場所が指定されてもよい。
【０１６５】
さらに、第３実施例においては、前述のメタデータとして、テキストデータが含まれることとしたが、たとえばサムネイルデータが含まれてもよい。そして、事前取込操作画面８００上の画像データリスト８０２に、当該サムネイルデータに基づくサムネイルが表示されてもよい。
【０１６６】
加えて、たとえば複合機２０が、ＩＳＯ/ＩＥＣ＿１８０９２（いわゆるＮＦＣ（Near field Communication）などの近距離無線通信規格に従う近距離無線通信部（リーダ／ライタ）を備えており、携帯端末３０もまた、当該規格に従う近距離無線通信部（チップ）を備える場合には、これらを利用することにより、とりわけ前述のステップＳ９におけるＩＤおよびパスワードの入力操作が省略されるようにしてもよい。
【０１６７】
そして、前述の各実施例においては、画像形成装置として、コンビニエンスストアに設置される複合機２０を例示したが、これに限らない。スーパーマーケットや公共施設などの当該コンビニエンスストア以外の場所に設置される複合機にも、本発明を適用することができる。また、複合機に限らず、プリンタ機能のみを有するプリンタ装置などにも、本発明を適用することができる。
【符号の説明】
【０１６８】
１０  …画像形成システム
２０  …複合機
３０  …携帯端末
２０４  …画像形成部
２０８  …写真用プリンタ
２１０  …制御部
２１０ａ  …ＣＰＵ
２１４ａ  …ディスプレイ
２１６ａ  …タッチパネル
【図１】
2020071822.tif 000003
【図２】
2020071822.tif 000004
【図３】
2020071822.tif 000005
【図４】
2020071822.tif 000006
【図５】
2020071822.tif 000007
【図６】
2020071822.tif 000008
【図７】
2020071822.tif 000009
【図８】
2020071822.tif 000010
【図９】
2020071822.tif 000011
【図１０】
2020071822.tif 000012
【図１１】
2020071822.tif 000013
【図１２】
2020071822.tif 000014
【図１３】
2020071822.tif 000015
【図１４】
2020071822.tif 000016
【図１５】
2020071822.tif 000017
【図１６】
2020071822.tif 000018
【図１７】
2020071822.tif 000019
【図１８】
2020071822.tif 000020
【図１９】
2020071822.tif 000021
【図２０】
2020071822.tif 000022
【図２１】
2020071822.tif 000023